(57)【要約】【課題】気化装置が傾いた場合でも、トラフの全体から熱交換パネルへ熱媒体を流すことを可能にする。【解決手段】気化装置（ＯＲＶ１）は、熱交換パネル２と、熱交換パネル２に隣接して配設されかつ、熱媒体を熱交換パネルの外表面へ流すトラフ３と、を備えている。トラフは第１方向に延びると共に、トラフの、熱交換パネルに対向する側壁には、その高さ方向の中間位置に、第１方向に延びるスリット５２が形成されている。トラフ内にたまった熱媒体は、スリットを通じて、熱交換パネルの外表面へ流れる。【選択図】図２
2020186867.tif 000002
【特許請求の範囲】
【請求項１】
第１方向に配列した複数の伝熱管によって構成されると共に、各伝熱管の内部を流れる液化ガスを気化させる熱交換パネルと、
前記熱交換パネルに対し、前記第１方向に直交する第２方向に隣接して配設されかつ、熱媒体を前記熱交換パネルの外表面へ流すトラフと、を備え、
前記トラフは前記第１方向に延びると共に、前記トラフの、前記熱交換パネルに対向する側壁には、その高さ方向の中間位置に、前記第１方向に延びるスリットが形成され、
トラフ内にたまった前記熱媒体は、前記スリットを通じて、前記熱交換パネルの外表面へ流れる気化装置。
【請求項２】
請求項１に記載の気化装置において、
前記トラフは、前記トラフ内へ前記熱媒体を供給する供給口と、前記供給口と前記側壁との間に配設されたバッフル板と、を有し、
前記熱媒体は、前記バッフル板を迂回するように、前記スリットよりも下方の位置を通って前記供給口から前記スリットへと流れる気化装置。
【請求項３】
請求項２に記載の気化装置において、
前記バッフル板は、前記側壁に対し前記第２方向に間隔を空けて配設されかつ、前記第１方向に延びており、
前記トラフは、前記側壁と前記バッフル板との間の空間を、前記第１方向に複数に隔てるガイド板を有している気化装置。
【請求項４】
請求項１〜３のいずれか１項に記載の気化装置において、
前記トラフは、前記トラフ内の空間を前記第１方向に複数に分ける仕切板を有している気化装置。
【請求項５】
請求項３に記載の気化装置において、
前記トラフは、前記トラフ内の空間を前記第１方向に複数に分ける仕切板を有し、
前記ガイド板は、前記仕切板よりも数が多い気化装置。
【請求項６】
請求項１〜５のいずれか１項に記載の気化装置において、
前記トラフは、トラフ本体と、前記トラフ本体に着脱可能に取り付けられかつ、前記側壁の一部を構成する制限板とを有し、
前記スリットは、前記トラフ本体と前記制限板との間に形成されている気化装置。
【請求項７】
請求項６に記載の気化装置において、
前記スリットの上下の幅は、前記制限板の取付位置を変えることによって調節される気化装置。
【請求項８】
請求項１〜７のいずれか１項に記載の気化装置において、
前記気化装置は、水上の浮体に設置される気化装置。
【発明の詳細な説明】
【技術分野】
【０００１】
ここに開示する技術は、気化装置に関する。
【背景技術】
【０００２】
特許文献１には、船舶等に搭載される液化ガスの気化装置が記載されている。この気化装置は、いわゆるオープンラック式気化装置である。オープンラック式気化装置は、熱交換パネルとトラフとを備えている。熱交換パネルは、複数の伝熱管を第１方向に配列することによって構成されている。熱交換パネルは、各伝熱管の内部で液化ガスを気化させる。熱交換パネルは、第１方向に直交する第２方向に、並設されている。トラフは、隣り合う熱交換パネルと熱交換パネルとの間で、第１方向に延びている。トラフは、熱媒体を熱交換パネルの外表面に供給する。トラフ内の熱媒体は、その水面の高さがトラフ上端の開口部の縁よりも高くなることにより、開口部からオーバーフローする。
【０００３】
特許文献１に記載された気化装置は、揺動する場所に設置されている。トラフは、開口部の縁よりも高い仕切板を中央に有している。この構成により、トラフは、第２方向に傾いた場合でも、熱媒体が開口部からオーバーフローし、熱交換パネルへ熱媒体を供給することができる。
【先行技術文献】
【特許文献】
【０００４】
【特許文献１】特許第６０５３３８９号公報
【発明の概要】
【発明が解決しようとする課題】
【０００５】
特許文献１に記載された気化装置はまた、第１方向、つまりトラフの長手方向に傾いた場合にも、熱交換パネルの全体に熱媒体を供給することができるよう、トラフの内部は、第１方向に複数に仕切られている。
【０００６】
しかしながら、特許文献１に記載された気化装置は、第１方向に大きく傾くと、トラフの第１方向の端部において、熱媒体がオーバーフローし難くなる、又は、オーバーフローしなくなる懸念がある。
【０００７】
ここに開示する技術は、気化装置が長手方向に傾いた場合でも、トラフの全体から熱交換パネルへ熱媒体を供給することを可能にする。
【課題を解決するための手段】
【０００８】
ここに開示する技術は、気化装置に関する。
【０００９】
この気化装置は、
第１方向に配列した複数の伝熱管によって構成されると共に、各伝熱管の内部を流れる液化ガスを気化させる熱交換パネルと、
前記熱交換パネルに対し、前記第１方向に直交する第２方向に隣接して配設されかつ、熱媒体を前記熱交換パネルの外表面へ流すトラフと、を備え、
前記トラフは前記第１方向に延びると共に、前記トラフの、前記熱交換パネルに対向する側壁には、その高さ方向の中間位置に、前記第１方向に延びるスリットが形成され、
トラフ内にたまった前記熱媒体は、前記スリットを通じて、前記熱交換パネルの外表面へ流れる。
【００１０】
この構成の気化装置によると、トラフの側壁の高さ方向の中間位置に、第１方向に延びるスリットが形成されている。トラフ内の水面の高さがスリットよりも高い位置にあれば、トラス内にたまった熱媒体はスリットを通じて、熱交換パネルの外表面へ流れる。熱交換パネルへの熱媒体の供給量は、スリットの上下の幅に対応する。尚、「中間位置」は、側壁の上端と下端との間の任意の位置であり、スリットは、熱交換パネルへ熱媒体を安定的に供給することができるように、適宜の高さに設ければよい。
【００１１】
気化装置が第１方向に傾くと、トラフの第１方向の一方の端部は上に移動し、他方の端部は下に移動する。上に移動したトラフの端部において、トラフの側壁の上端と水面の高さとの高低差は小さくなる。しかしながら、このトラフは、熱媒体をオーバーフローさせる構成ではない。このトラフは、側壁の高さ方向の中間位置に形成したスリットを通じて、熱媒体を熱交換パネルに供給する。気化装置が第１方向に傾いた場合に、トラフ内の水面の高さがスリットよりも高い位置にあれば、熱媒体がスリットを通じて熱交換パネルの外表面へ流れる。このとき、熱媒体の供給量は、スリットの上下の幅に対応する量である。従って、前記の構成の気化装置は、第１方向に傾いた場合でも、熱交換パネルの第１方向の全体に亘って、熱媒体を均等に又は略均等に供給することができる。
【００１２】
前記トラフは、前記トラフ内へ前記熱媒体を供給する供給口と、前記供給口と前記側壁との間に配設されたバッフル板と、を有し、
前記熱媒体は、前記バッフル板を迂回するように、前記スリットよりも下方の位置を通って前記供給口から前記スリットへと流れる、としてもよい。
【００１３】
こうすることで、供給口からトラフ内へ供給された熱媒体は、バッフル板によって、スリットよりも下方の位置を通って、側壁とバッフル板との間の空間へと流れる。熱媒体がバッフル板を迂回する間に、熱媒体は第１方向に広がって流れる。熱媒体は、トラフ内で第１方向の全体に均等又は略均等に分配される。気化装置が水平の場合も、第１方向に傾いた場合も、トラフは、熱交換パネルの全体へ、熱媒体を均等又は略均等に流すことができる。
【００１４】
前記バッフル板は、前記側壁に対し前記第２方向に間隔を空けて配設されかつ、前記第１方向に延びており、
前記トラフは、前記側壁と前記バッフル板との間の空間を、前記第１方向に複数に隔てるガイド板を有している、としてもよい。
【００１５】
ここで、ガイド板は、当該ガイド板を挟んで隣り合う二つの空間同士を完全に分けてもよいし、二つの空間同士を完全には分けずに、一部が互いにつながるように二つの空間を隔ててもよい。
【００１６】
スリットよりも下方の位置を通って、側壁とバッフル板との間の空間へと流れる熱媒体は、ガイド板によって隔てられた複数の空間のそれぞれに、均等又は略均等に分配される。トラフは、第１方向の全体に亘って均等又は略均等に、熱交換パネルへ熱媒体を供給することができる。
【００１７】
また、気化装置が第１方向に傾いた場合に、ガイド板は、トラフ内で、熱媒体が第１方向へ流れることを妨げる。気化装置が第１方向に対して傾いた場合でも、トラフは、熱媒体を、熱交換パネルの第１方向の全体に亘って、均等又は略均等に流すことができる。
【００１８】
前記トラフは、前記トラフ内の空間を前記第１方向に複数に分ける仕切板を有している、としてもよい。
【００１９】
ここで、仕切板は、当該仕切板を挟んで隣り合う二つの空間同士を完全に分けることによって、仕切板を挟んだ空間と空間との間を熱媒体が第１方向に流れることを阻止するものとしてもよい。また、仕切板は、二つの空間同士を完全には分けずに、一部が互いにつながるように二つの空間を仕切ってもよい。
【００２０】
トラフは、第１方向に長い。気化装置が第１方向に対して傾いた場合に、仕切板は、トラフ内で、熱媒体が第１方向へ流れることを阻止又は抑制する。熱媒体がトラフ内で第１方向の一方に偏ることが抑制される。仕切板によって複数に分けられたトラフは、熱交換パネルの第１方向の全体に亘って均等又は略均等に、熱媒体を供給することができる。
【００２１】
前記ガイド板は、前記仕切板よりも数が多い、としてもよい。
【００２２】
つまり、仕切板がトラフ内を複数の空間に分割し、ガイド板は、その複数の空間のそれぞれを、複数の空間にさらに隔ててもよい。トラフ内にガイド板と仕切板との両方を設けることにより、気化装置が第１方向に対して傾いた場合でも、熱媒体は、熱交換パネルの第１方向の全体に亘って、均等又は略均等に供給される。
【００２３】
前記トラフは、トラフ本体と、前記トラフ本体に着脱可能に取り付けられかつ、前記側壁の一部を構成する制限板とを有し、
前記スリットは、前記トラフ本体と前記制限板との間に形成されている、としてもよい。
【００２４】
熱媒体が海水である場合、海水中のゴミや貝殻等がスリットの一部を塞いでしまう場合がある。制限板をトラフ本体から取り外すことによって、ゴミ等を、容易に取り除くことができる。気化装置のメンテナンスが容易になる。
【００２５】
前記スリットの上下の幅は、前記制限板の取付位置を変えることによって調節される、としてもよい。
【００２６】
スリットの上下の幅の大きさを変えると、トラフから熱交換パネルへ熱媒体の供給量を調節することができる。また、熱媒体としての海水中にゴミ等が多く含まれる場合がある。気化装置の使用環境に応じてスリットの上下の幅を広くすると、ゴミ等がスリットを塞ぐことが抑制される。
【００２７】
前記気化装置は、水上の浮体に設置される、としてもよい。
【００２８】
前述したように、この気化装置は、長手方向に傾いた場合でも、トラフの全体から熱交換パネルへ熱媒体を供給することができるため、水上の浮体（船舶、及び、係留されたフロート等を含む）に設置される気化装置として好適である。
【発明の効果】
【００２９】
以上説明したように、前記の気化装置は、気化装置が傾いた場合でもトラフの全体から熱交換パネルへ熱媒体を流すことができる。
【図面の簡単な説明】
【００３０】
【図１】図１は、気化装置の全体構成を概略的に例示する斜視図である。
【図２】図２は、トラフの構成を例示する斜視図である。
【図３】図３は、トラフの平面図である。
【図４】図４は、トラフの側面図である。
【図５】図５は、トラフの一部破断の断面図である。
【図６】図６は、制限板の取付構造を例示する図である。
【図７】図７は、気化装置が第１方向に傾いた状態を例示する側面図である。
【図８】図８は、気化装置が第２方向に傾いた状態を例示する断面図である。
【発明を実施するための形態】
【００３１】
以下、気化装置の実施形態について、図面を参照しながら説明する。ここで説明する気化装置は例示である。図１は、気化装置の全体構成を概略的に示している。気化装置は、いわゆるオープンラック式気化装置（Open Rack Vaporizer:ＯＲＶ）１である。ＯＲＶ１は、水上の浮体に設置される。ＯＲＶ１は、例えば液化ガス運搬船に搭載される。ＯＲＶ１は、運搬している液化ガスを、熱媒体としての海水と熱交換させることによって、気体ガスにする。ＯＲＶ１はまた、ＦＳＲＵ（Floating Storage and Regasification Unit）や、ＦＰＳＯ（Floating Production, Storage and Offloading）に設置してもよい。
【００３２】
ＯＲＶ１は、複数の熱交換パネル２を備えている。図例では、熱交換パネル２は５枚である。尚、熱交換パネル２の枚数は、適宜の数にすればよい。各熱交換パネル２は、詳細な図示は省略するが、複数の伝熱管が、第１方向に配列されると共に、隣り合う伝熱管同士を互いに接合することによって構成されている。５枚の熱交換パネル２は、第１方向に直交する第２方向に、並んでいる。ここで、第１方向は、ＯＲＶ１を搭載する船の船首と船尾とつなぐ方向に対応する。第２方向は、船の左舷と右舷とをつなぐ方向に対応する。
【００３３】
各熱交換パネル２の下側には、下部ヘッダタンク２１が配設されている。下部ヘッダタンク２１は、一枚の熱交換パネル２に対して１本、設けられている。下部ヘッダタンク２１は、第１方向に延びている。各伝熱管の下端は、下部ヘッダタンク２１に接続されている。下部ヘッダタンク２１は、液化ガスを各伝熱管へ分配する。第２方向に並んだ下部ヘッダタンク２１の端は、第２方向に延びる入口マニホールド２２に接続されている。入口マニホールド２２は、各下部ヘッダタンク２１へ液化ガスを分配する。
【００３４】
液化ガスは、入口マニホールド２２及び下部ヘッダタンク２１を通じて各伝熱管に供給され、伝熱管内を下から上に流れる途中で気化する。
【００３５】
各熱交換パネル２の上側には、上部ヘッダタンク２３が配設されている。上部ヘッダタンク２３は、一枚の熱交換パネル２に対して１本、設けられている。上部ヘッダタンク２３は、第１方向に延びている。各伝熱管の上端は、上部ヘッダタンク２３に接続されている。上部ヘッダタンク２３は、気体ガスを各伝熱管から集合させる。第２方向に並んだ上部ヘッダタンク２３の端は、第２方向に延びる出口マニホールド２４に接続されている。出口マニホールド２４は、各上部ヘッダタンク２３から来たガスを集めて送り出す。
【００３６】
尚、液化ガスは、上部ヘッダタンク２３を通じて各伝熱管に供給し、伝熱管内を上から下に流れる途中で気化するようにしてもよい。
【００３７】
各熱交換パネル２に対し、第２方向の両側には、トラフ３が配設されている。トラフ３は、海水をためると共に、ためた海水を熱交換パネル２の外表面へ流す。トラフ３は、熱交換パネル２の上部付近で、第１方向に延びている。
【００３８】
図２は、トラフ３の全体構成を例示する斜視図である。図３は、トラフ３の平面図であり、図４は、トラフ３の側面図である。図５は、トラフ３の破断断面図である。尚、図５には、熱交換パネル２を二枚だけ図示し、二枚の熱交換パネル２に対応する三つのトラフ３を図示している。図５の左端のトラフ３は、図１において最も左奥に配設される、ＯＲＶ１の端のトラフ３に相当し、図５の右端のトラフ３は、図１において最も右手前に配設される、ＯＲＶ１の端のトラフ３に相当する。隣り合う熱交換パネル２と熱交換パネル２との間に配設されたトラフ３は、端に配設されたトラフ３を、二つ背中合わせにしたような断面形状を有している。
【００３９】
トラフ３は、トラフ本体４と、トラフ本体４に取り付けられる制限板５とを有している。トラフ本体４は、底壁４１と、二つの側壁４２と、二つの端壁４３とを有している。トラフ本体４は、上向きに開放されている。
【００４０】
底壁４１は、第１方向に延びている。側壁４２は、底壁４１の第２方向の縁につながっている。各側壁４２は、第１方向に延びている。二つの側壁４２は、第２方向に向かい合って配設されている。各側壁４２は、熱交換パネル２に対向している。端壁４３は、底壁４１の第１方向の端につながっている。端壁４３は、向かい合った二つの側壁４２を互いにつないでいる。端壁４３の高さは、側壁４２の高さよりも高い。
【００４１】
側壁４２の上端には、エッジ部４２１が設けられている。エッジ部４２１は、側壁４２の上部を、第２方向の外方へ折り返すことによって構成されている。エッジ部４２１は、斜め下向きに傾いている。エッジ部４２１は、第１方向に延びる側壁４２の全体に亘って連続している。トラフ３内の海水は、熱交換パネル２へ向かってエッジ部４２１に沿って流れる。
【００４２】
制限板５は、側壁４２の上方に位置し、それによって、トラフ３の側部の一部分を構成している。制限板５は、第１方向に延びている。制限板５の第１方向の両端部は、折り曲げられている。制限板５の両端部はそれぞれ、端壁４３に固定されている。制限板５は、端壁４３に対しボルト５１によって取り付けられている。制限板５は、トラフ本体４に対して着脱可能である。
【００４３】
制限板５と側壁４２との間には、隙間が設けられている。これによって、トラフ３の側壁には、その高さ方向の中間位置に、第１方向に延びるスリット５２が形成されている。スリット５２は、より詳細には、制限板５の上端から側壁４２の下端までを全高としたトラフ３の側壁の、中央位置よりも上に位置している。尚、スリット５２の高さ位置は、図例に限らず、適宜の位置にすることができる。また、スリット５２は、トラフ３の、第１方向の端から端まで連続している。
【００４４】
図６に示すように、制限板５を取り付けるためのボルト孔５３は、上下方向に長い。制限板５は、トラフ本体４に対する取付位置を、上下方向に変更することが可能である。図６の左図に示すように、制限板５を下に取り付けるとスリット５２の上下の幅Ｗ１が狭くなり、右図に示すように、制限板５を上に取り付けるとスリット５２の上下の幅Ｗ２が広くなる。
【００４５】
トラフ３内には、隔壁６１が配設されている。隔壁６１は、第２方向の中央位置で、第１方向に延びている。隔壁６１は、底壁４１に接している。隔壁６１の高さは、端壁４３の高さよりも高い。隔壁６１は、トラフ３内を、第２方向に二つに分けている。詳細は後述するが、隔壁６１は、気化装置１が第２方向に傾いた場合に、トラフ３の両側の熱交換パネル２へ、海水を安定的に供給することを可能にする。
【００４６】
尚、図５に示すように、第２方向の端に配設されたトラフ３、つまり、図５の左端のトラフ３及び右端のトラフ３では、一方の側壁４２が、端壁４３の高さよりも高く構成されている。端壁４３の高さよりも高い側壁４２が、隔壁６１と同様の機能を果たす。
【００４７】
トラフ３内には、複数の仕切板６２が配設されている。複数の仕切板６２は、隔壁６１によって分けられたトラフ３内の二つの空間のそれぞれにおいて、第１方向に等間隔で配設されている。各仕切板６２は、底壁４１、側壁４２及び隔壁６１のそれぞれに接している。各仕切板６２の上端は、端壁４３の上端と同じ、又は、ほぼ同じ高さに位置している。図例では、隔壁６１によって分けられたトラフ３内の二つの空間のそれぞれにおいて、４枚の仕切板６２が、トラフ３内を、第１方向に五つの空間に分けている。尚、仕切板６２による第１方向の分割数は、五つに限らない。トラフ３内は、第１方向に適宜の数に分ければよい。また、トラフ３内は、第１方向に分けなくてもよい。仕切板６２は省略することも可能である。
【００４８】
トラフ３は、トラフ３内に海水を供給する供給口７１を有している。供給口７１は、隔壁６１及び仕切板６２によって分けられた合計１０個の空間それぞれに、個別に設けられている。より詳細に、供給口７１は、トラフ３内に配設された分配管７２に設けられている。分配管７２は、両端が閉じた管によって構成されている。分配管７２は、隔壁６１よって分けられた二つの空間のそれぞれにおいて、第１方向に延びて配設されている。分配管７２は、仕切板６２を貫通している。分配管７２の所定の位置に設けられた供給口７１は、第１方向に分けられた各空間内に位置している。供給口７１は、分配管７２の下部に形成されかつ、下向きに開口している。
【００４９】
各分配管７２には、詳細な図示は省略するが、供給管７３が接続されている（図１も参照）。供給管７３を通じて各分配管７２に供給された海水は、各供給口７１を通じて、トラフ３内に噴出する。
【００５０】
供給口７１と側壁４２との間には、バッフル板８１が介設されている。バッフル板８１は、トラフ３内の海水の流れを制限する。具体的に、バッフル板８１は、側壁４２に対し第２方向に所定の間隔を空けて、側壁４２と平行に配設されている。バッフル板８１の下端は、トラフ３の底壁４１から離れている。バッフル板８１の下端は、スリット５２よりも下方に位置している。図５に矢印で示すように、海水は、バッフル板８１を迂回するように流れる。より具体的に、海水は、スリット５２よりも下方の位置を通って、供給口７１から、側壁４２とバッフル板８１との間の空間内へと流れる。
【００５１】
側壁４２とバッフル板８１との間の空間内には、ガイド板８２が配設されている。ガイド板８２は、側壁４２とバッフル板８１との間の空間を、第１方向に複数に隔てる。図例では、仕切板６２によって分けられた各空間において、４つのガイド板８２が第１方向に等間隔を空けて配設されている。当該空間は、ガイド板８２によって五つに隔てられている。ガイド板８２は、仕切板６２よりも数が多い。
【００５２】
各ガイド板８２は、バッフル板８１に固定されていると共に、制限板５に固定されている。バッフル板８１は、ガイド板８２を介して、制限板５に固定されている。
【００５３】
ガイド板８２の下端は、図例では、バッフル板８１の下端と同じ位置に設定されている。ガイド板８２は、トラフ３の底壁４１の近くでは、ガイド板８２を挟んで隣り合う二つの空間を隔てていない。尚、図示は省略するが、ガイド板８２の下端は、トラフ３の底壁４１に当たっていてもよい。
【００５４】
前述したように、海水は、バッフル板８１を迂回するように、スリット５２よりも下方の位置を通って供給口７１から、側壁４２とバッフル板８１との間の空間へと流れる。ガイド板８２は、側壁４２とバッフル板８１との間の空間において、海水をガイド板８２によって隔てられた各空間に均等又は略均等に分配する。
【００５５】
ガイド板８２の上端は、バッフル板８１の上端と制限板５の上端とをつなぐように、斜めに傾いている。尚、図例とは異なり、ガイド板８２の上端を真っ直ぐ水平に形成してもよい。
【００５６】
制限板５、バッフル板８１及びガイド板８２は互いに固定されることで一体化している。第１方向に長い制限板５及びバッフル板８１の剛性が高まる。
【００５７】
また、制限板５は、トラフ本体４に対して着脱可能に取り付けられている。制限板５をトラフ本体４から取り外すと、制限板５、バッフル板８１及びガイド板８２をトラフ本体４から取り外すことができる（図４及び図５の一点鎖線参照）。後述するように、トラフ３内にたまった海水は、スリット５２を通じて流れるが、海水に含まれるゴミや貝殻等によってスリット５２が塞がってしまう場合がある。制限板５、バッフル板８１及びガイド板８２をトラフ本体４から取り外すことによって、作業者は、スリット５２に溜まったゴミ等を容易に取り除くことができる。制限板５、バッフル板８１及びガイド板８２の取り外し構成は、トラフ３のメンテナンス性能を向上させる。
【００５８】
前述した構成のトラフ３は、トラフ３内にたまった海水を、側壁４２の中間位置に設けたスリット５２を通じて、熱交換パネル２の外表面へ供給する。海水は、図５に例示するように、エッジ部４２１に沿って、熱交換パネル２の外表面に向かって流れる。スリット５２は、第１方向に、同じ幅で延びている。トラフ３は、熱交換パネル２の第１方向の全体に亘って、海水を均等又は略均等に供給することができる。
【００５９】
ＯＲＶ１は、この構成例では船に搭載されているため、風や波の影響を受けて、船がピッチング方向に揺れると、ＯＲＶ１は第１方向に傾き、船がローリング方向に揺れると、ＯＲＶ１は第２方向に傾く。図７に例示するように、ＯＲＶ１が第１方向に傾くことに伴いトラフ３が第１方向に傾くと（図７のθ参照）、トラフ３の第１方向の一方の端部は上へ移動し、他方の端部は下へ移動する。
【００６０】
従来のトラフは、海水を側壁の上端から溢れさせるため、トラフ３が第１方向に傾くことによって、側壁の上端が水面に対して相対的に上方へ移動すると、側壁の上端と水面の高さとの高低差が小さくなるため、海水が溢れなくなる、又は、溢れにくくなる。
【００６１】
これに対し、前述した構成のトラフ３は、側壁４２の中間位置に設けたスリット５２を通じて、熱交換パネル２の外表面へ海水を供給する。トラフ３が第１方向に傾いても、図７に二点鎖線で例示するように、トラフ３内の水面ＷＬの高さがスリット５２よりも高い位置にあれば、スリット５２の上下の幅に対応する量の海水を、第１方向の全体に亘って熱交換パネル２へ供給することができる。ＯＲＶ１の一部に海水が供給されなくなる事態を避けることができ、ＯＲＶ１は、液化ガスを良好に気化させることができる。
【００６２】
ここで、船に搭載されたＯＲＶ１は、例えば船の停泊中に稼働する。停泊中の船は、ピッチング方向の揺動角度が比較的小さい。トラフ３が第１方向に傾く角度θは、例えば数°程度である。また、前述したように、トラフ３は、仕切板６２によって、第１方向に複数に分かれている。これにより、トラフ３が第１方向に傾いた場合でも、仕切板６２によって分割された各空間での水面の高さがスリット５２よりも低い位置になることは抑制される。トラフ３は、第１方向の全体に亘って、海水を、熱交換パネル２へ流すことができる。
【００６３】
また、側壁４２とバッフル板８１との間に、複数のガイド板８２を設けているため、トラフ３が第１方向に傾いた場合に、側壁４２とバッフル板８１との間の空間において、海水が第１方向に流れることがガイド板８２によって阻害される。トラフ３は、熱交換パネル２の第１方向の全体に亘って均等又は略均等に、海水を供給することができる。
【００６４】
また、バッフル板８１がトラフ３内で海水の流れを制限することにより、供給口７１からトラフ３内へ供給された海水を、トラフ３内で第１方向に均等又は略均等に分配することができる。トラフ３内で海水の偏りが抑制される結果、トラフ３が水平の場合も、傾いている場合も、海水は、スリット５２を通じて、熱交換パネル２の第１方向に亘って、均等又は略均等に流れる。
【００６５】
側壁４２とバッフル板８１との間のガイド板８２は、トラフ３が第１方向に傾いた場合に海水の移動を阻止する以外にも、バッフル板８１を迂回して側壁４２とバッフル板８１との間の空間へと流れる海水を、第１方向に均等又は略均等に分配することにも寄与する。
【００６６】
また、第１方向に長いトラフ３を第１方向に複数に仕切る仕切板６２と、仕切板６２によって仕切られた空間内を、さらに複数に隔てるガイド板８２と、をトラフ３に設けることにより、トラフ３が水平の場合も、第１方向に傾いた場合も、海水を、熱交換パネル２の第１方向の全体に亘って、均等又は略均等に供給することができる。
【００６７】
また、制限板５の取付位置を変更することによりスリット５２の上下の幅の大きさを変えると、トラフ３から熱交換パネル２への海水の供給量を、容易に調節することができる。
【００６８】
また、スリット５２の上下の幅を広くすると、海水に含まれるゴミ等がスリット５２を塞いでしまうことを抑制することができる。ＯＲＶ１の使用環境に応じてスリット５２の上下の幅を変更することにより、ＯＲＶ１を安定的に稼働することができる。
【００６９】
さらに、トラフ３が、高さの高い隔壁６１によって第２方向に二つに分かれているため、図８に示すように、ＯＲＶ１が第２方向に傾いたときに、トラフ３の両側の熱交換パネル２へ海水を供給することができる。停泊中の船のローリング角度は、ピッチング角度よりも大きくなりやすいが、前記の構成のトラフ３は、船が比較的大きな角度でローリングしても、トラフ３の両側の熱交換パネル２への海水の供給を継続することができる。
【００７０】
尚、図示は省略するが、第２方向の端に位置するトラフ３は、高さの高い側壁４２によって、ＯＲＶ１が第２方向に傾いたときに、トラフ３の側方の熱交換パネル２へ海水を供給することができる。高さの高い側壁４２は、隔壁６１と同じ機能を発揮する。
【００７１】
尚、気化装置１の構成は、前述したＯＲＶ１の構成に限らない。例えば、隔壁６１及び／又は仕切板６２によって分かれたトラフ３内の各空間に海水を供給する機構としては、前述した分配管７２をトラフ３内に設ける以外の構成であってもよい。例えば、トラフ３内の各空間に、供給管を個別に接続してもよい。
【００７２】
また、ガイド板８２の数は、前述した構成例に限らない。ガイド板８２は適宜の数とすればよい。また、ガイド板８２は省略してもよい。
【００７３】
さらに、バッフル板８１は、省略することも可能である。
【００７４】
スリット５２は、トラフ３の第１方向の端から端まで連続していなくてもよい。スリットは、第１方向に複数に分割されていてもよい。
【符号の説明】
【００７５】
１  ＯＲＶ（気化装置）
２  熱交換パネル
３  トラフ
４  トラフ本体
４２  側壁
５  制限板
５２  スリット
６２  仕切板
７１  供給口
８１  バッフル板
８２  ガイド板
【図１】
2020186867.tif 000003
【図２】
2020186867.tif 000004
【図３】
2020186867.tif 000005
【図４】
2020186867.tif 000006
【図５】
2020186867.tif 000007
【図６】
2020186867.tif 000008
【図７】
2020186867.tif 000009
【図８】
2020186867.tif 000010